(57)【要約】  携帯使用でも据付使用でも容易に実施できる除電器セットを提供する。  使用者が除電対象物に放出口６ｄを向けて箱体を持った状態で使用することが可能な除電器６と、台座２２と、台座２２を固定支持する脚部２３とを備えた支持台２０とからなる除電器セット１００であって、除電器６の箱体前面１０には、基準面と基準面より前方に突出する突出面との境界に生じる段差により形成されたＶ字段差部１０ａが設けられ、除電器６の箱体後面１２には、凹部１２ａが形成され、支持台２０の台座２２における前面支持体２２ａには、除電器６が載置されたときにＶ字段差部１０ａを支持するＶ字段差受部２２ｆが形成され、支持台２０の台座２２における後面支持体２２ｃには、除電器６が載置されたときに箱体後面１２の凹部１２ａ、１２ｂに嵌入される付勢部材２１が取り付けられることを特徴とする。
2008129917.tif 000002
【特許請求の範囲】
【請求項１】
箱体内にイオン生成機構が設けられるとともに、箱体表面にイオン含有空気を放出するための放出口（イオン放出部）が形成され、使用者が除電対象物に放出口を向けて箱体を持った状態で使用することが可能な除電器と、
前記除電器の箱体表面のうち箱体前面、箱体後面及び箱体下面の各面の一部と面接する前面支持体、後面支持体及び下面支持体が形成された台座と、当該台座を固定支持する脚部とを備えた支持台とからなる除電器セットであって、
前記除電器の箱体前面には、基準面と基準面より前方に突出する突出面、又は、基準面と基準面より後方に埋没する埋没面との境界に生じる段差により形成され、かつ、下方に向けて先細るように形成されたＶ字段差部が設けられ、
前記除電器の箱体後面には、凹部が形成され、
前記支持台の台座における前記前面支持体には、前記除電器が載置されたときにＶ字段差部を支持するＶ字段差受部が形成され、
前記支持台の台座における前記後面支持体には、前記除電器が載置されたときに除電器の箱体を前方に付勢するとともに箱体後面の凹部に嵌入される付勢部材が取り付けられることを特徴とする除電器セット。
【請求項２】
前記支持台は、さらに台座を脚部に固定支持するときの台座の固定角度を調整する台座調整機構を備えたことを特徴とする請求項１に記載の除電器セット。
【請求項３】
前記除電器の箱体後面に形成される凹部は、互いに離隔した位置に少なくとも２つ形成されることを特徴とする請求項１又は請求項２に記載の除電器セット。
【請求項４】
前記Ｖ字段差部のＶ字の尖った方向が向く方向にイオン含有空気を放出する放出口が形成されることを特徴とする請求項１〜請求項３のいずれかに記載の除電器セット。
【発明の詳細な説明】
【技術分野】
【０００１】
本発明は、除電器とその支持台とからなる除電器セットに関し、特に除電器を単独で携帯して使用（携帯型使用）することができるとともに、除電器を支持台に固定して使用（据付型使用）することもできる除電器セットに関する。
【背景技術】
【０００２】
従来から、除電対象物の静電気を低減するために、種々の除電器が開発されてきた。例えば、コロナ放電式除電器では、針状のイオン生成用電極に電圧を印加することにより、イオン生成用電極の針端に電界が集中し、針端にコロナ放電が発生する。その結果、イオン生成用電極の針端からイオンが生成する。このようにして生成したイオンを、イオン含有空気として送風し、除電対象物に吹き付けることで、除電対象物の静電気を中和して低減させるようにしている（例えば、特許文献１参照）。【０００３】
また、除電器は、携帯して使用するタイプと、据付けて使用するタイプとに大別され、それぞれの使用状況に適した外形状にしてある。例えば、携帯使用される除電器は、手で持ちやすいようにエアーガンのような把持部を有する形状にしてあるものが多い。また、据付使用される除電器は、据付時に除電器本体を支持するスタンドが取り付けられたものが多い。それゆえ、除電対象物の状態や除電目的に応じて、使いやすいタイプの除電器を選択して使用することが行われている。
【特許文献１】特開２００５−３３２７２３号公報
【発明の開示】
【発明が解決しようとする課題】
【０００４】
ところで、秤量室を備えた天びんによる粉末状のサンプルの重量計測を行う場合に、静電気が問題になることがある。静電気の問題としては、“計量誤差”や“付着”等がある。静電気による計量誤差は、例えば、粉末状のサンプルをビーカーの風袋に投入して重量を計測するときに、サンプルやビーカーの風袋が静電気を帯び、計量皿付近の風防ガラス等と引き合う、もしくは、反発しあうことにより発生する。また、静電気による付着の問題は、ユーザがサンプルをはかりとる場合に、静電気でサンプルが周辺に散らばったり、サンプルが計量スプーンに付着したりして、計量を阻害する等のことにより発生する。加えて、一旦計量したサンプルを試験管等に移すとき、静電気でサンプルが試験管等の壁面に付着して、分析結果の誤差要因となっている。【０００５】
そのため、ビーカーの風袋やサンプルを除電しておく必要がある。この場合に、据付型の除電器を用いると、除電中に他のサンプルの測定を行う事ができるなど都合がよい。
また、天びんに風防ガラスが設けられているときは、風防ガラスに静電気が生じていると、周囲の埃等を付着することがある。風防ガラスに付着した埃は、その後、風防ガラスから離脱して秤量皿に載ってしまい、計量誤差となるおそれがある。そのため、風防ガラス自体の除電も必要になる。この場合には、風防ガラス（天びん全体）を除電するため、携帯型の除電器を用いる方が都合がよい。【０００６】
このように、除電対象物や除電目的によっては、据付使用と携帯使用との両方を行いたいことがある。従来の除電器では、据付使用型と携帯使用型とは、はっきりと分離されていたため、据付使用と携帯使用との両形態で使用するのに適した除電器は存在しなかった。【０００７】
そこで、本発明は、携帯使用でも据付使用でも容易に実施できる除電器セットを提供することを目的とする。
また、本発明は、据付使用時に用いる支持台へ除電器をセットする際に、支持台に対する除電器の位置決めが簡単に行える除電器セットを提供することを目的とする。
また、本発明は、据付使用時に用いる支持台への着脱を、ワンタッチで行うことができ、ネジ止め作業等を不要にした除電器セットを提供することを目的とする。
【課題を解決するための手段】
【０００８】
上記課題を解決するためになされた本発明の除電器セットは、箱体内にイオン生成機構が設けられるとともに、箱体表面にイオン含有空気を放出するための放出口（イオン放出部）が形成され、使用者が除電対象物に放出口を向けて箱体を持った状態で使用することが可能な除電器と、前記除電器の箱体表面のうち箱体前面、箱体後面及び箱体下面の各面の一部と面接する前面支持体、後面支持体及び下面支持体が形成された台座と、当該台座を固定支持する脚部とを備えた支持台とからなる除電器セットであって、前記除電器の箱体前面には、基準面と基準面より前方に突出する突出面、又は、基準面と基準面より後方に埋没する埋没面との境界に生じる段差により形成され、かつ、下方に向けて先細るように形成されたＶ字段差部が設けられ、前記除電器の箱体後面には、凹部が形成され、前記支持台の台座における前記前面支持体には、前記除電器が載置されたときにＶ字段差部を支持するＶ字段差受部が形成され、前記支持台の台座における前記後面支持体には、前記除電器が載置されたときに除電器の箱体を前方に付勢するとともに箱体後面の凹部に嵌入される付勢部材が取り付けられるようにしている。【０００９】
ここで、除電器の箱体の外形形状は、箱体前面、箱体前面と対向する箱体後面、箱体前面と箱体後面の下方でこれら２面を連結する箱体下面、の３面を有する箱体形状であれば、特に限定されない。具体的には、直方体形状や、その一部を変形した形状であることが好ましい。
また、放出口からイオン含有空気を吹き出すように構成されていれば、特に限定されない。【００１０】
本発明によれば、除電器セットは、携帯可能な箱体である除電器と、この箱体を支持する支持台とからなり、携帯使用するときは除電器を単独で使用し、据付使用するときは除電器を支持台に固定して使用する。
除電器を支持台に固定して使用するときは、まず、箱体前面にあるＶ字段差部のＶ字の尖った方向を参考にして箱体前面、箱体後面、箱体下面を確認し、続いて、Ｖ字段差部のＶ字が台座の前面支持体に設けられたＶ字段差受部の上方にくるように持ち、そこから、箱体を下方に向けて移動させる。このとき台座の後面支持体に取付けた付勢部材が箱体を前方に付勢しているため、台座の前面支持体と箱体前面とは当接するようになる。そして、箱体が下方に移動するにつれ、Ｖ字段差部がＶ字段差受部のＶ字の壁に案内され、最終的にはＶ字段差部のＶ字の尖端部分が、Ｖ字段差受部のＶ字の谷底位置に到達して安定的に支持されるようになる。このとき同時に、箱体後面の凹部には付勢部材が嵌入されるようになり、箱体と支持台とが固定される。
【発明の効果】
【００１１】
本発明の除電器セットによれば、携帯使用でも据付使用でも容易に実施することができる。また、本発明によれば、据付使用時に用いる支持台へ除電器をセットする際に、Ｖ字段差部とＶ字段差受部とによる案内動作により、支持台に対する除電器の位置決めが簡単に行うことができる。また、本発明によれば、据付使用時に用いる支持台への着脱を、ワンタッチで行うことができ、ネジ止め作業等の煩雑な作業を不要にすることができる。【００１２】
（他の課題を解決するための手段および効果）
また、上記の発明において、前記支持台は、さらに台座を脚部に固定支持するときの台座の固定角度を調整する台座調整機構を備えるようにしてもよい。
台座調整機構で台座の固定角度を調整することにより、放出口の向きを任意の方向に向けることができ、据付使用の際の使い勝手を良好にすることができる。【００１３】
また、上記発明において、前記除電器の箱体後面に形成される凹部は、互いに離隔した位置に少なくとも２つ形成されるようにしてもよい。
１箇所の凹部で固定した場合には、台座の角度が極端に傾斜すると力のモーメントによって、固定された凹部を中心に除電器が回転し脱落するおそれがあるが、除電器が支持台に２箇所以上で固定されることにより、回転しなくなり、より安定に支持することができる。【００１４】
また、上記発明において、Ｖ字段差部のＶ字の尖った方向が向く方向にイオン含有空気を放出する放出口が形成されるようにしてもよい。
これにより、Ｖ字の向きを確認することにより、一見してイオンの吹き出し方向を確認することができる。
【図面の簡単な説明】
【００１５】
【図１】本発明に係る除電器を示す平面図である。
【図２】本発明に係る除電器を示す前面図である。
【図３】本発明に係る除電器を示す下面図である。
【図４】本発明に係る除電器を示す後面図である。
【図５】本発明に係る除電器を示す側面図である。
【図６】図１に示す除電器のＡ−Ａ線の断面図である。
【図７】本発明に係る支持台を示す平面図である。
【図８】本発明に係る支持台を示す前面図である。
【図９】本発明に係る支持台を示す側面図である。
【図１０】除電器６を支持台２０に固定したときの除電器セットの全体構造を示す図である。
【図１１】支持台２０における電器６の取り付け高さを調整するときの図である。
【図１２】支持台２０における除電器６の取り付け角度を調整するときの図である。
【図１３】本発明に係る除電器の他の例を示す図である。
【符号の説明】
【００１６】
１  電圧発生器
２  イオン生成用電極
６  除電器
６ｄ  放出口
７  ファン（送風機構）
１０  箱体前面
１０ａ  Ｖ字段差部
１１  箱体下面
１２  箱体後面
１２ａ、１２ｂ  凹部
２０  支持台
２１ａ、２１ｂ  凸部
２１  板バネ
２２  台座２２ａ  前面支持体
２２ｃ  後面支持体
２２ｄ  下面支持体
２２ｆ  Ｖ字段差受部２３  脚部
１００  除電器セット
【発明を実施するための最良の形態】
【００１７】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
図１０は、除電器セットの全体構造を示す図である。本発明の除電器セット１００は、放出口６ｄを箱体下面に有する直方体形状の除電器６と、除電器６を固定する支持台２０とを備える。【００１８】
まず、本発明に係る除電器６について説明する。図１は、本発明に係る除電器を示す平面図であり、図２は、本発明に係る除電器を示す前面図であり、図３は、本発明に係る除電器を示す下面図であり、図４は、本発明に係る除電器を示す後面図であり、図５は、本発明に係る除電器を示す側面図であり、図６は、図１に示す除電器のＡ−Ａ線の断面図である。
除電器６は、電圧発生器１と、電圧が印加されることによりイオンを生成するイオン生成用電極２と、空気を送風するファン７と、吸気口６ｃと、イオン含有空気を放出するための放出口６ｄとを備える。なお、除電器６は、手で持ちやすい大きさの直方体形状であり、箱体上面１３と、箱体前面１０と、箱体下面１１と、箱体後面１２と、２つの箱体側面で覆われている。【００１９】
ファン（送風機構）７は、空気の流れを作るためのものである。ファン７が回転すると、吸気口６ｃから放出口６ｄへ空気の流れが生じることになる。【００２０】
吸気口６ｃは、除電器６の箱体上面１３に配置され、例えば、平面視すると、約３０ｍｍ角の正方形状の開口であり、開口には埃除去用のフィルタ（図示せず）が設置されている。
放出口６ｄは、除電器６の箱体下面１１に配置され、例えば、平面視すると、約３０ｍｍ角の正方形状の開口であり、正イオン及び負イオンを含むイオン含有空気を一方向（開口面に垂直な方向）に放出するためのものである。【００２１】
高電圧発生器１は、＋入力リード線（図示せず）と−入力リード線（図示せず）との間に印加された入力電圧を、圧電トランス（図示せず）で昇圧し、交流化して出力する。
なお、高電圧発生器１は、出力電圧調整部（図示せず）を有し、イオン生成用電極２への印加する出力電圧を制御することにより、生成されるイオンの量は１０万個／ｃｍ３〜１００万個／ｃｍ３の範囲で変動させることができる。【００２２】
イオン生成用電極２は、例えば、厚さ０．１ｍｍ程度の金属板を加工して、針端を形成し、これを放出口６ｄに向けた針状電極としてある。針状電極に高電圧出力線５で交流電圧が印加されることにより、負イオンと正イオンとが交互に生成される。
アース用電極３は、例えば、厚さ０．１ｍｍ程度の金属板を加工して、針端を形成し、これを放出口６ｄに向けた針状電極である。
なお、イオン生成用電極２及びアース用電極３とは、吸気口６ｃと放出口６ｄとの間に配置され、かつ、ファン７の下流に配置されているので、ファン７からの送風により、放出口６ｄからイオン含有空気が放出されていくことになる。【００２３】
箱体前面１０は、前面方向から見ると、Ｖ字段差部１０ａを有する。Ｖ字段差部１０ａは、基準面１０ｓと基準面より前方に突出する突出面１０ｔとの境界に生じる段差により形成され、かつ、下方に向けて先細るように形成されている。これにより、除電器６と支持台２０とを固定するときには、Ｖ字段差部１０ａのＶ字の尖った方向を見ることで、取り付け方法が確認できるようにしてある。また、Ｖ字段差部１０ａを後述する支持台２０のＶ字段差受部２２ｆの上方にくるように持って、そこから、除電器６を下方に向けて移動させるのであるが、このとき、Ｖ字段差部１０ａが、Ｖ字段差受部２２ｆに接することで行われる案内動作により、除電器６と支持台２０とが正確に位置合わせできるようにしてある。
上記段差は、約２ｍｍにしてあり、Ｖ字段差受部２２ｆで係合するようにしてある。【００２４】
箱体後面１２には、２つの凹部１２ａ、１２ｂが形成してある。これら凹部１２ａ、１２ｂの内底はＶ字状にしてある。凹部１２ａと凹部１２ｂとの間の離間する距離は、例えば、約４０ｍｍにしてある。これにより、除電器６と支持台２０とを固定するときには、２つの凹部１２ａ、１２ｂは、後述する支持台２０の板バネ（付勢部材）２１の２つの凸部２１ａ、２１ｂがそれぞれ嵌入されることにより、すなわち板バネ２１が除電器６を前方に付勢することにより、除電器６と支持台２０とが適度の強さのバネ力で固定されるようにしてある。
なお、凹部１２ａの箱体後面１２での位置は、Ｖ字段差部の頂部の箱体前面１０での位置と対応する反対の位置に設けられることが好ましい。【００２５】
次に、支持台２０について説明する。図７は、本発明に係る支持台を示す平面図であり、図８は、本発明に係る支持台を示す前面図であり、図９は、本発明に係る支持台を示す側面図である。
支持台２０は、除電器６を固定するための台座２２（２２ａ、２２ｂ、２２ｃ、２２ｄ、２２ｅ）と、除電器６と台座２２とを適度の強さで固定するための板バネ（付勢部材）２１と、脚部２３（２３ａ、２３ｂ、２３ｃ）と、除電器６の取り付け角度及び取り付け高さを調整する台座調整機構２４とを備える。【００２６】
板バネ（付勢部材）２１は、前方から見ると、横にしたコの字形状であり、下部に１つの凸部２１ａを有する左部と、下部に１つの凸部２１ｂを有する右部と、左部の下端部と右部の下端部とを連結する連結部とからなる。
なお、板バネ２１は、後述する台座２２の後面支持体２２ｂの後面に、左部の上部及び右部の上部がネジ２１ｃで固定されている。これにより、左部の上部及び右部の上部を軸として、左部の下端部と右部の下端部と連結部とは前後方向に移動させることができるようになる。
また、凸部２１ａ、２１ｂは、側面から見ると、「く」の字形状であり、上下方向から力が加わることにより、容易に、左部の下端部と右部の下端部と連結部とを後方向に移動させることができる。【００２７】
台座２２は、除電器６の箱体前面１０に面接する前面支持体２２ａと、除電器６の箱体下面１１に面接する下面支持体２２ｄと、除電器６の箱体後面１２に面接する後面支持体２２ｂと、保護部２２ｃと、側面支持体２２ｅとからなり、側方から見ると、横にしたヨの字形状にしてある。前面支持体２２ａは、前方から見ると、Ｖ字段差受部２２ｆを有する。また、後面支持体２２ｂの後面の上部で、板バネ２１がネジ２１ｃで固定されるとともに、後面支持体２２ｂの下部には、板バネ２１の２つの凸部２１ａ、２１ｂを後面から前面にそれぞれ貫通させるための２つの長方形状の貫通孔を有する。さらに、後面支持体２２ｂと保護２２ｃとの間は、板バネ２１の左部の下端部と右部の下端部と連結部とを前後方向に移動させることを妨げないように、離間されている。そして、側面支持体２２ｅには、台座調整機構２４のネジ部２４ａが固定されている。
上記Ｖ字段差受部の尖った部分の角度は、Ｖ字段差部と同様にしてある。【００２８】
脚部２３は、前方から見ると、Ｌ字形状であり、床面に載置させる長方形状の底面２３ａと、底面２３ａに垂直な台形状の垂直面２３ｂとを有する。垂直面２３ｂには、台座調整機構２４を移動させるための溝２３ｃが上下方向に形成されている。【００２９】
台座調整機構２４は、台座２２の側面支持体２２ｅに固定されるネジ部２４ａと、ハンドル部２４ｂとを有する。これにより、ネジ部２４ａは、脚部２３の溝２３ｃを貫通して、ハンドル部２４ｂで固定されることができる。よって、上下方向に形成された溝２３ｃの上部から下部の任意の位置で、ネジ部２４ａとハンドル部２４ｂとを固定することにより、除電器６の取り付け高さを調整することができる（図１１参照）。また、任意の角度で、ネジ部２４ａとハンドル部２４ｂとを固定することにより、除電器６の取り付け角度を３６０°の範囲で調整することができる（図１２参照）。【００３０】
以上のように、除電器セット１００によれば、除電器６の箱体前面１０にＶ字段差部１０ａを有するとともに、除電器の箱体後面１２に２つの凹部１２ａ、１２ｂを有する除電器６とし、かつ、Ｖ字段差受部２２ｆを有する箱体前面１０を備えるとともに、２つの凸部２１ａ、２１ｂを有し、凸部２１ａ、２１ｂを前後方向に移動可能とする板バネ２１を備える支持台２０としているので、除電器６を支持台２０に固定するときには、除電器６の箱体前面１０のＶ字段差部１０ａを、支持台２０のＶ字段差受部２２ｆに接することで行われる案内動作により、正確に位置合わせをするとともに、除電器６の箱体後面１２の凹部１２ａ、１２ｂに、凸部２１ａ、２１ｂを有する板バネ２１を嵌入することにより、適度な強さのバネ力で固定することができる（図１０参照）。
一方、除電器６を支持台２０から外すときには、ただ単純に除電器６を上方向に引くことにより、除電器６の箱体前面１０のＶ字段差部１０ａを支持台２０のＶ字段差受部２２ｆから外すとともに、除電器６の箱体後面１２の凹部１２ａ、１２ｂから凸部２１ａ、２１ｂを有する板バネ２１を外すことができる。
よって、据付使用時に用いる支持台２０への除電器６の着脱を、ワンタッチで行うことができ、容易に、除電器６を単独で携帯して使用したり、除電器６を支持台２０に固定して使用したりすることができる。【００３１】
さらに、除電器６を支持台２０に固定しても、台座調整機構２４により、除電器６の取り付け角度及び位置を自由に調整することができる。
また、ファン７を用いて空気を送風する除電器６を使用するので、空気の送風の力が強すぎて、ビーカー内のサンプルを飛散させたり、ビーカーの周囲から内部に不純物を混入してしまったりすることもない。【００３２】
（他の実施形態）
（１）上述した除電器６では、Ｖ字段差部１０ａは、基準面１０ｓと基準面より前方に突出する突出面１０ｔとの境界に生じる段差により形成され、かつ、下方に向けて先細るように形成されている構成としたが、Ｖ字段差部３０ａは、基準面３０ｓと基準面より後方に埋没する埋没面３０ｔとの境界に生じる段差により形成され、かつ、下方に向けて先細るように形成されているような構成としてもよい（図１３参照）。
なお、図１３（ａ）は、本発明に係る除電器を示す前面図であり、図１３（ｂ）は、本発明に係る除電器を示す下面図である。
【産業上の利用可能性】
【００３３】
本発明の除電器セットは、除電器を単独で携帯して使用することができるとともに、除電器を支持台に固定して使用することもできる。
【図１】
2008129917.tif 000003
【図２】
2008129917.tif 000004
【図３】
2008129917.tif 000005
【図４】
2008129917.tif 000006
【図５】
2008129917.tif 000007
【図６】
2008129917.tif 000008
【図７】
2008129917.tif 000009
【図８】
2008129917.tif 000010
【図９】
2008129917.tif 000011
【図１０】
2008129917.tif 000012
【図１１】
2008129917.tif 000013
【図１２】
2008129917.tif 000014
【図１３】
2008129917.tif 000015
【国際調査報告】
2008129917.tif 000016
2008129917.tif 000017